(57)【要約】      （修正有）【課題】畦に連続的に栽培した葉物野菜を収穫するとき、畦毎に装置機構の切断刃部材の高さ位置を調節する必要なく、装置の操作方法で葉物野菜の根切り位置を一定範囲で調整できる葉物野菜根切り装置を提供する。【解決手段】前輪１２Ｆと、前輪１２Ｆと前後方向で一列に配置された後輪１２Ｒと、前輪１２Ｆと後輪１２Ｒに支持された台車部１４と、台車部１４から後上方へ延びたハンドル２６と、台車部１４から側方へ延び、前輪１２Ｆ及び後輪１２Ｒの接地位置に対する高さ位置を調整可能な切断刃部材１６と、前輪１２Ｆの前側面、及び切断刃部材１６を取り付けた台車部１４の側面を連続して被うカバー３０とを有する。【選択図】図２
0003209550.tif 000002
【実用新案登録請求の範囲】
【請求項１】
前輪と、
前記前輪と前後方向で一列に配置された後輪と、
前記前輪と前記後輪に支持された台車部と、
前記台車部から後上方へ延びたハンドルと、
前記台車部から側方へ延び、前記前輪及び前記後輪の接地位置に対する高さ位置を調整可能な切断刃部材と、
前記前輪の前側面、及び前記切断刃部材を取り付けた台車部の側面を連続して被うカバーと
を有することを特徴とする葉物野菜根切り装置。
【請求項２】
前記切断刃部材が、前記台車部に高さ位置を調整可能に取り付けられていることを特徴とする請求項１に記載の葉物野菜根切り装置。
【請求項３】
前記前輪及び後輪の少なくとも一方が、前記台車部に高さ位置を調整可能に取り付けられていることを特徴とする請求項１に記載の葉物野菜根切り装置。
【請求項４】
前記切断刃部材が、直線状の刃を有することを特徴とする請求項１に記載の葉物野菜根切り装置。
【請求項５】
前記切断刃部材が、円弧状の刃を有することを特徴とする請求項１に記載の葉物野菜根切り装置。
【請求項６】
前記切断刃部材が、進行方向に対し前方へ傾斜して取り付けられていることを特徴とする請求項１に記載の葉物野菜根切り装置。
【請求項７】
前記切断刃部材が、進行方向に対し後方へ傾斜して取り付けられていることを特徴とする請求項１に記載の葉物野菜根切り装置。
【考案の詳細な説明】
【技術分野】
【０００１】
本考案は、葉物野菜根切り装置、さらに詳しくは、畦に連続的に栽培したほうれん草等を収穫するとき、畦に沿って隣り合うほうれん草の根の中間部を順次切断する葉物野菜根切り装置に関する。
【背景技術】
【０００２】
（従来の技術）
ほうれん草などの葉物野菜の収穫作業 は、一般的に、葉の部分を傷付けないように片手で葉を押さえながら他方の手に持った鎌で根を切断することにより行われている。しかしながら、このような手作業による収穫作業は、中腰の姿勢で刈り取る作業が主体であることから、腰痛の原因となり易いという問題を有している。特に、近時は、葉物野菜においても、大きな耕作面積に同一の作物を作付けする傾向にあり、また、この傾向はハウス栽培でも見られる。
【０００３】
このような作業姿勢による作業者の疾患の発生を防ぐため、本考案者は、腰を屈めなくとも葉物野菜の根切り作業ができる葉物野菜刈取機を提案した（特許文献１）。該葉物野菜刈取機１は、図７に示すように、４つの車輪２Ｆ，２Ｒを備えた台車３と、この台車３から側方に延出する切断刃部材４とを有する。台車３は、台車本体５から斜め後方に延びるシャフト６を有し、このシャフト６の上端に、横方向に延びるハンドル用ロッド７が取付けられ、このハンドル用ロッド７の両方の端部に作業者が手で把持する左右一対の握り部８が形成されている。この握り部８は、作業者が立位姿勢で台車３を押すのに丁度良い高さに設定されている。
【先行技術文献】
【特許文献】
【０００４】
【特許文献１】特開平１１−２２５５４１号公報
【考案の概要】
【考案が解決しようとする課題】
【０００５】
前記葉物野菜根切り機を使用することにより、作業姿勢による疾患の発生のかなり部分を防ぐことができた。しかし、葉物野菜を植え付けた畦は、栽培期間中の風雨等によりその高さが不均一に変化し、また各葉物野菜は日当たりや土壌養分の不均一等によりその成長が不揃いになる。そのため、切断すべき葉物野菜の根切り部分の高さ位置は、畦毎に、更に正確には葉物野菜毎に異なる。従来の前記葉物野菜根切り機は、車輪２Ｆ，２Ｒの走行位置によって台車３の高さすなわち切断刃部材４の高さが決まり、一方台車３に対する切断刃部材４の高さの調整が可能であるように構成されている。しかし、実際の葉物野菜刈り取り作業において畦毎に切断刃部材４の高さを調整することは、煩わしさと作業の非効率により実質上不可能である。
【０００６】
また、葉物野菜はその葉が地上で広がる。根切り作業の際、車輪２Ｆ，２Ｒが葉をその葉を踏み潰し、葉物野菜の商品価値を低下させるという問題もある。
【０００７】
（考案の目的）
本考案は、葉物野菜根切りに関する上述した従来技術の問題を解決するため、畦に連続的に栽培したほうれん草等を収穫するとき、畦毎に装置機構の切断刃部材の高さ位置を調節する必要なく、装置の操作方法で葉物野菜の根切り位置を一定範囲で調整できる葉物野菜根切り装置を提供することを目的とする。
また、葉物野菜の根切りの際、根切り装置が葉物野菜を踏み潰すことがなく、商品価値の高い葉物野菜を収穫することができる葉物野菜根切り装置を提供することを目的とする。
【課題を解決するための手段】
【０００８】
上述した目的を達成する本考案は、
前輪と、
前記前輪と前後方向で一列に配置された後輪と、
前記前輪と前記後輪に支持された台車部と、
前記台車部から後上方へ延びたハンドルと、
前記台車部から側方へ延び、前記前輪及び前記後輪の接地位置に対する高さ位置を調整可能な切断刃部材と、
前記前輪の前側面、及び前記切断刃部材を取り付けた台車部の側面を連続して被うカバーと
を有することを特徴とする葉物野菜根切り装置
である。
【０００９】
本考案は、上述した目的を達成するため、より好ましくは以下のように構成される。
前記切断刃部材が、前記台車部に高さ位置を調整可能に取り付けられていることを特徴とする。
前記前輪及び後輪の少なくとも一方が、前記台車部に高さ位置を調整可能に取り付けられていることを特徴とする。
前記切断刃部材が、直線状の刃を有することを特徴とする。
前記切断刃部材が、円弧状の刃を有することを特徴とする。
前記切断刃部材が、進行方向に対し前方へ傾斜して取り付けられていることを特徴とする。
前記切断刃部材が、進行方向に対し後方へ傾斜して取り付けられていることを特徴とする。
【考案の効果】
【００１０】
本考案の葉物野菜根切り装置によれば、畦に連続的に栽培したほうれん草等を収穫するとき、畦毎に装置機構の切断刃部材の高さ位置を調節する必要なく、装置の操作方法で葉物野菜の根切り位置を一定範囲で調整できる効果を有する。
本考案の葉物野菜根切り装置によれば、また、葉物野菜の根切りの際、根切り装置が葉物野菜を踏み潰すことがなく。商品価値の高い葉物野菜を収穫することができる効果を有する。
【図面の簡単な説明】
【００１１】
【図１】第１実施形態のカバーを取り外した葉物野菜根切り装置の斜視図である。
【図２】第１実施形態の葉物野菜根切り装置の斜視図である。
【図３】第１実施形態の葉物野菜根切り装置の使用状態を示す説明図である。
【図４】第２実施形態の葉物野菜根切り装置の平面図である。
【図５】第３実施形態の葉物野菜根切り装置の平面図である。
【図６】第４実施形態の葉物野菜根切り装置の平面図である。
【図７】従来技術の葉物野菜根切機の斜視図である。
【考案を実施するための形態】
【００１２】
以下に本考案の葉物野菜根切り装置の実施形態を、実施例として図に基づいて説明する。
（第１実施形態）
本考案の第１実施形態の葉物野菜根切り装置１０は、図１にカバーを外して示すように、鉄パイプを溶接して形成した台車部１４に、前輪１２Ｆ及び後輪１２Ｒを取り付けてなる。前輪１２Ｆ及び後輪１２Ｒは、葉物野菜根切り装置１０の進行方向に一列になるように配置されかつ方向決めされる。
【００１３】
台車部１４は、前輪１２Ｆ及び後輪１２Ｒの中間位置に、切断刃部材１６を高さ位置調整可能に取り付けるための切断刃取付部材１８が、前輪１２Ｆ及び後輪１２Ｒの車軸２０Ｆ，２０Ｒと平行になるように溶接されている。
【００１４】
切断刃取付部材１８には、複数のボルト・ナット２２によって切断刃２４が取り付けられている。ボルト・ナット２２の調整によって、台車部１４に対する切断刃２４の高さ位置を調整することができる。切断刃２４は、直線状の刃部を形成する鋼（刃金）と、硬度は低いが粘り性の高い金属とからなる。
【００１５】
台車部１４は、後上方へ延びたハンドル２６を有する。ハンドル２６は、単に葉物野菜根切り装置１０を前方へ押し進めるだけでなく、葉物野菜根切り装置１０の傾斜を調整しながら押し進めるために、横方向に間隔を置いて設けられた一対の把手部２８を有する。
【００１６】
第１実施形態の葉物野菜根切り装置１０は、図２に示すように、台車部１４、前輪１２Ｆ及び後輪１２Ｒを被うステンレス板製のカバー３０を有する。カバー３０は、剛性の高い合成樹脂で作ることもできる。
【００１７】
上述した第１実施形態の葉物野菜根切り装置１０を使用した葉物野菜の収穫は、図３に示すように、葉物野菜Ｖを栽培した畦Ｒｍに平行に配置し、切断刃２４を葉物野菜Ｖの根部ＲＯの所定高さ位置になるようにして、葉物野菜根切り装置１０を押し進めて根部ＲＯを切断する。この際、カバー３０が葉物野菜の葉物野菜根切り装置１０が接触する部分の葉を押し退けるので、葉物野菜根切り装置１０が葉物野菜根の葉を踏み潰して損傷させ、商品価値を下落させるということはない。
【００１８】
葉物野菜を植え付けた畦は、栽培期間中の風雨等によりその高さが不均一に変化し、また各葉物野菜は日当たりや土壌養分の不均一等によりその成長が不揃いになる。そのため、切断刃２４の高さ位置は、畦毎にあるいは葉物野菜毎に変えなければならないことが多い。その場合、畦毎にあるいは葉物野菜毎に変えるために葉物野菜根切り装置１０の中で切断刃２４の高さ位置を調整し直すこともできるが、これは極めて煩わしくかつ非能率的である。
【００１９】
本葉物野菜根切り装置１０においては、前輪１２Ｆと該前輪１２Ｆと前後方向で一列に配置された後輪１２Ｒを有する葉物野菜根切り装置１０を前輪１２Ｆ及び後輪１２Ｒの接地部分を中心に傾けることにより、畦の中の切断刃２４の高さ位置を調整して、根部ＲＯの所定位置の切断を可能にする。
（第２実施形態）
第２実施形態の葉物野菜根切り装置１００は、図４を参照して説明されるが、第１実施形態と同一の構成については第１実施形態の説明と同一の符号を付して、その説明を省略する。
第２実施形態の葉物野菜根切り装置１００は、図４に示すように、台車部１４（図示せず）に取り付けられた切断刃１０２が円弧状である。第２実施形態の葉物野菜根切り装置１００は、畦の寸法、土質、水分含有量等を考慮して、選択され採用される。
【００２０】
（第３実施形態）
第３実施形態の葉物野菜根切り装置２００は、図５を参照して説明されるが、第１実施形態と同一の構成については第１実施形態の説明と同一の符号を付して、その説明を省略する。
【００２１】
第３実施形態の葉物野菜根切り装置２００は、図５に示すように、台車部１４（図示せず）に取り付けられた切断刃２０２が直線状であるが、葉物野菜根切り装置２００の進行方向前方へ傾斜している。第３実施形態の葉物野菜根切り装置２００は、畦の寸法、土質、水分含有量等を考慮して、選択され採用される。
【００２２】
（第４実施形態）
第４実施形態の葉物野菜根切り装置３００は、図６を参照して説明されるが、第１実施形態と同一の構成については第１実施形態の説明と同一の符号を付して、その説明を省略する。
【００２３】
第４実施形態の葉物野菜根切り装置３００は、図６に示すように、台車部１４（図示せず）に取り付けられた切断刃３０２が直線状であるが、葉物野菜根切り装置２００の進行方向後方へ傾斜している。第４実施形態の葉物野菜根切り装置３００は、畦の寸法、土質、水分含有量等を考慮して、選択され採用される。
【符号の説明】
【００２４】
Ｒｍ              畦
Ｖ                葉物野菜
ＲＯ              根部
１０              第１実施形態の葉物野菜根切り装置
１４              台車部
１６              切断刃部材
１８              切断刃取付部材
２２              ボルト・ナット
２４              切断刃
２６              ハンドル
３０              カバー
１００            第２実施形態の葉物野菜根切り装置
１０２            切断刃
２００            第３実施形態の葉物野菜根切り装置
２０２            切断刃
３００            第４実施形態の葉物野菜根切り装置
３０２            切断刃
【図１】
0003209550.tif 000003
【図２】
0003209550.tif 000004
【図３】
0003209550.tif 000005
【図４】
0003209550.tif 000006
【図５】
0003209550.tif 000007
【図６】
0003209550.tif 000008
【図７】
0003209550.tif 000009